(57)【要約】【課題】  容易な操作により所望の楽曲データを再生することのできる車載用再生機器を提供することである。【解決手段】  種別情報がＭＰ３であると判別した場合、ＣＰＵは、右キー等が押下されたと判別した場合、押下された右キー等に従って、再生管理テーブルの再生ファイル番号を更新する（ステップＳ２７）。また、ＣＰＵは、上キー等が押下されたと判別した場合、ＰＶＤを読み出し、基準となるカレントフォルダを、現在のフォルダから１つ後ろ又は、１つ前のフォルダに変化させ、変更後のカレントフォルダに属する各ファイルを検索する（ステップＳ２９）。そして、検索結果に従って、楽曲テーブル等を更新する（ステップＳ３０）。ＣＰＵは、決定キーが押下されたと判別した場合、再生管理テーブル再生ファイル番号にて差し示される楽曲テーブル内の楽曲データを再生する（ステップＳ３２）。【選択図】  図６
2004296083.tif 000002
【特許請求の範囲】
【請求項１】
楽曲データがトラック単位に記録されている第１種の記録媒体及び、楽曲データがフォルダ単位に階層化されて記録されている第２種の記録媒体から、楽曲データを再生する車載用再生装置であって、
再生対象となる記録媒体が、第１種の記録媒体及び第２種の記録媒体の何れかであるかを判別する媒体種類判別手段と、
再生する楽曲データの変更を指示するための第１の操作キー及び、記録媒体またはフォルダの変更を指示するための第２の操作キーを含む入力手段と、
前記入力手段における第１の操作キーの押下に応答し、前記媒体種類判別手段の判別結果に従って、第１種の記録媒体内または第２種の記録媒体のフォルダ内における再生対象の楽曲データを変更する楽曲変更手段と、
前記入力手段における第２の操作キーの押下に応答し、前記媒体種類判別手段の判別結果に従って、記録媒体または第２種の記録媒体におけるフォルダを変更する変更手段と、
を備えることを特徴とする車載用再生装置。
【請求項２】
前記変更手段は、前記媒体種類判別手段が第１種の記録媒体と判別した場合に記録媒体を変更し、前記媒体種類判別手段が第２種の記録媒体と判別した場合に前記入力手段における第２の操作キーの押下時間の長短に従って、記録媒体または第２種の記録媒体におけるフォルダを変更する、
ことを特徴とする請求項１に記載の車載用再生装置。
【請求項３】
前記入力手段は、上下左右からなる４方向の操作を入力するための十字キーを含み、
前記第１の操作キーは、十字キー中の左右２つのキーに対応して、楽曲データの前後の変更を指示し、
前記第２の操作キーは、十字キー中の上下２つのキーに対応して、媒体またはフォルダの前後の変更を指示する、
ことを特徴とする請求項１または２に記載の車載用再生装置。
【発明の詳細な説明】
【技術分野】
【０００１】
本発明は、車載用再生装置に関する。
【背景技術】
【０００２】
車載用の電子機器において、車載用ＣＤ（コンパクトディスク）プレーヤに代表されるディスク再生装置が、最もポピュラーな機器の１つとして広まっている。このディスク再生装置は、利用者により装填された音楽ＣＤに記録されている楽曲データを所定の順番に再生することができる。
【０００３】
近年では、複数の音楽ＣＤを格納し、各ＣＤを随時切り替えて再生できる多連装ディスク再生装置も知られている。このような多連装ディスク再生装置は、例えば、１０枚以上もの音楽ＣＤを格納でき、長時間に渡る連続再生が可能である。
このような多連装ディスク再生装置には、一般に、再生対象の楽曲データの変更及びディスクの変更のために、図１０に示すような操作キー１００が操作パネルに配置され、利用者に操作される。
【０００４】
具体的に説明すると、操作キー１００は、右キー１０１と、左キー１０２と、上キー１０３と、下キー１０４とから構成される。これらのキーは、例えば、複数の音楽ＣＤを格納した多連装ディスク再生装置が、任意のＣＤ（楽曲データ）の再生中において、利用者により押下される。
右キー１０１は、利用者に押下されると、次の楽曲データの再生（曲送り）を指示する情報を生成し、多連装ディスク再生装置に供給する。また、左キー１０２は、前の楽曲データの再生を指示する情報又は、再生楽曲データの先頭を指示する情報を生成し、多連装ディスク再生装置に供給する。
【０００５】
一方、上キー１０３は、利用者に押下されると、次のディスクの再生を指示する情報を生成し、多連装ディスク再生装置に供給する。また、下キー１０４は、前のディスクの再生を指示する情報を生成し、多連装ディスク再生装置に供給する。
すなわち、多連装ディスク再生装置は、利用者による上述の操作キー１００（右キー１０１〜下キー１０４）の操作に従って、収納した複数の音楽ＣＤから再生対象のＣＤを適宜切り替え、指定された楽曲データを再生する。このため、利用者は、上キー１０３等を使用して、効率よく再生対象の楽曲データが記録された音楽ＣＤを切り替え、所望の楽曲データを再生することができる。
【０００６】
最近では、ＭＰ３（MPEG Audio Layer-3）に代表される音声圧縮技術を応用した楽曲再生装置等（パーソナルコンピュータ等にて実行される楽曲再生ソフトも含む。）が知られている。このＭＰ３は、容量が元の容量の１０分の１程度まで圧縮されるにもかかわらず、所定の楽曲再生装置等にて再生した際に、音楽ＣＤと同等の音質が得られるという特徴を有する。
ＭＰ３形式の楽曲データは、例えば、利用者がパーソナルコンピュータ等を使用して、所定の変換ソフトにより音楽ＣＤに記録された楽曲データをエンコードすることにより得られる。また、他にも、インターネット等を介して、利用者が所定の音楽配信サイトからダウンロードすることによっても得られる。
【０００７】
このようなＭＰ３形式の音楽データは、例えば、利用者によりＣＤ−Ｒ（Compact Disc Recordable）やＣＤ−ＲＷ（Compact Disc Rewritable）等の記録媒体に記録され保存される場合も多い。
例えば、利用者は、１０枚分の音楽ＣＤの楽曲データをＭＰ３形式に変換し、変換した楽曲データを１枚のＣＤ−Ｒ等に記録する。そして利用者は、パーソナルコンピュータ上で楽曲再生ソフトを実行して、ＣＤ−Ｒ等に記録されたＭＰ３形式の楽曲データを再生することにより、ディスクを入れ替えることなく音楽ＣＤ１０枚分の楽曲を連続して聴くことができる。
すなわち、ＭＰ３形式の楽曲データをＣＤ−Ｒ等に記録することにより、パーソナルコンピュータ等を、あたかも１０枚の多連装ＣＤチェンジャプレーヤとして、好みの楽曲を連続して再生させることができる。
【発明の開示】
【発明が解決しようとする課題】
【０００８】
上述したように、ＣＤ−Ｒ等には、１０枚分もの音楽ＣＤと同等の楽曲データをＭＰ３形式にて記録可能である。このため、ＣＤ−Ｒ等に記録した楽曲データをパーソナルコンピュータ等にて再生するだけではなく、車載用再生装置にて再生することができれば、利用者にとってより好都合となる。
すなわち、ＭＰ３形式の楽曲データを記録したＣＤ−Ｒ等を車載用再生装置にて再生することができれば、音楽ＣＤ１０枚分もの楽曲データの再生を、多連装ＣＤチェンジャプレーヤ等を搭載することなく実現することができる。そして、利用者は、長時間に渡るドライブの途中等であっても、連続して再生される楽曲を聴きながら、気持ちよく運転することができる。
【０００９】
この場合、車載用再生装置において、ＣＤ−Ｒ等に記録されたＭＰ３形式の楽曲データから所望の楽曲データの再生を指示する操作が、上述の多連装ディスク再生装置における操作と大きく異なると、利用者にとって操作性の著しい低下が予想される。
【００１０】
具体的に説明すると、一般にＣＤ−Ｒ等には、図１１に示すように、ＭＰ３形式の楽曲データ（「ＦＩＬＥ１−１」等）がフォルダ単位に階層化されて記録されている。
そして、図中の「ＦＩＬＥ１−１」の楽曲データを再生中に「ＦＩＬＥ２−２」の楽曲データを再生させたい場合、利用者は、例えば、上述の操作キー１００等を操作して、再生対象の楽曲データを順に変化させる。つまり、利用者は、右キー１０１等を押下して、再生対象のファイル（楽曲データ）を「ＦＩＬＥ１−１→ＦＩＬＥ１−２→ＦＩＬＥ１−３→ＦＩＬＥ２−１→ＦＩＬＥ２−２」と順に変化させ、所望の楽曲データの再生を指示する。
【００１１】
すなわち、利用者は、所望の楽曲データを再生させる際に、再生対象の楽曲データの変更を指示する所定の操作キーをひたすら操作する必要があった。この操作は、上述の多連装ディスク再生装置にて、上キー１０３等を使用して、効率よく再生対象の楽曲データが記録された音楽ＣＤを切り替え、そして、所望の楽曲データを再生する操作と大きく異なる。
そのため、上述の多連装ディスク再生装置の操作に慣れている利用者は、ＣＤ−Ｒ等に記録されたＭＰ３形式の楽曲データから所望の楽曲データの再生を指示する操作を効率よく行うことができない。
【００１２】
本発明は、上記実状に鑑みてなされたもので、楽曲データがフォルダ単位に階層化されて記録されている記録媒体から、容易な操作により所望の楽曲データを再生することのできる車載用再生装置を提供することを目的とする。
【課題を解決するための手段】
【００１３】
上記目的を達成するため、本発明の第１の観点に係る車載用再生装置は、
楽曲データがトラック単位に記録されている第１種の記録媒体及び、楽曲データがフォルダ単位に階層化されて記録されている第２種の記録媒体から、楽曲データを再生する車載用再生装置であって、
再生対象となる記録媒体が、第１種の記録媒体及び第２種の記録媒体の何れかであるかを判別する媒体種類判別手段と、
再生する楽曲データの変更を指示するための第１の操作キー及び、記録媒体またはフォルダの変更を指示するための第２の操作キーを含む入力手段と、
前記入力手段における第１の操作キーの押下に応答し、前記媒体種類判別手段の判別結果に従って、第１種の記録媒体内または第２種の記録媒体のフォルダ内における再生対象の楽曲データを変更する楽曲変更手段と、
前記入力手段における第２の操作キーの押下に応答し、前記媒体種類判別手段の判別結果に従って、記録媒体または第２種の記録媒体におけるフォルダを変更する変更手段と、
を備えることを特徴とする。
【００１４】
前記変更手段は、前記媒体種類判別手段が第１種の記録媒体と判別した場合に記録媒体を変更し、前記媒体種類判別手段が第２種の記録媒体と判別した場合に前記入力手段における第２の操作キーの押下時間の長短に従って、記録媒体または第２種の記録媒体におけるフォルダを変更してもよい。
【００１５】
前記入力手段は、上下左右からなる４方向の操作を入力するための十字キーを含み、
前記第１の操作キーは、十字キー中の左右２つのキーに対応して、楽曲データの前後の変更を指示し、
前記第２の操作キーは、十字キー中の上下２つのキーに対応して、媒体またはフォルダの前後の変更を指示してもよい。
【発明の効果】
【００１６】
本発明によれば、楽曲データがフォルダ単位に階層化されて記録されている媒体から、容易な操作により所望の楽曲データを再生することができる。
【発明を実施するための最良の形態】
【００１７】
本発明の実施の形態にかかる車載用ディスク再生装置について、以下図面を参照して説明する。
【００１８】
（実施形態１）
図１は、この発明の実施の形態に適用される車載用ディスク再生装置の一例を示すブロック図である。この車載用ディスク再生装置は、ディスク５に格納された楽曲データを再生可能な機器であり、マイクロコンピュータ１と、キー入力部２と、ディスク位置検出部３と、光学ユニット４とから構成される。
なお、車載用ディスク再生装置において再生対象となるディスク５は、通常の音楽ＣＤ（ＣＤ−ＤＡ；Compact Disc Digital Audio）、ＣＤ−Ｒ（Compact Disc Recordable）及びＣＤ−ＲＷ（Compact Disc Rewritable）等である。
【００１９】
ここで、ディスク５は、図２（ａ）に示すようなオーディオフォーマットの音楽ＣＤ（ＣＤ−ＤＡ）又は、図２（ｂ）に示すようなＣＤ−ＲＯＭフォーマット（ＩＳＯ９６６０フォーマット等）のＣＤ−Ｒ及びＣＤ−ＲＷ等からなる。
【００２０】
具体的に説明すると、音楽ＣＤのディスク５には、図２（ａ）に示すようにリードイン領域、データ領域、及び、リードアウト領域が配置されている。
リードイン領域には、ＴＯＣ（Table Of Contents）等が配置されている。このＴＯＣには、データ領域に記録された楽曲データのアドレスや再生時間等からなる目次情報が記録されている。
また、データ領域には、１又は、複数の楽曲データが記録されている。そして、リードアウト領域には、ディスク５の終端を示す情報が記録されている。
【００２１】
一方、ＣＤ−Ｒ等のディスク５には、図２（ｂ）に示すように、図２（ａ）の音楽ＣＤに記録される情報の他に、ＰＶＤ及び、パステーブルが配置されている。
ＰＶＤ（Primary Volume Description）には、データ領域に記録された楽曲データ等のファイル構造を規定する情報（階層情報等）が記録されている。例えば、楽曲データが図２（ｃ）に示すようなファイル構造から構成されている場合、ＰＶＤには、このファイル構造を規定する階層情報が記憶されている。
また、パステーブルには、ＰＶＤにて規定されるフィル構造中の各楽曲データが実際に記録されているアドレス、すなわち、データ領域に記録された楽曲データの実アドレス等が記憶されている。
【００２２】
図２（ｂ）に示すリードイン領域には、図２（ａ）と同様に、ＴＯＣが配置されている。なお、ＴＯＣには、ＰＶＤのアドレス等からなる目次情報が記録されている。
また、データ領域には、ＭＰ３（MPEG Audio Layer-3）形式にて圧縮された複数の楽曲データ等が記録されている。そして、リードアウト領域には、ディスク５の終端を示す情報が記録されている。
なお、ＣＤ−Ｒ等のディスク５には、図２（ａ）に示すオーディオフォーマットにて楽曲データ等が記録されている場合もある。すなわち、ＣＤ−Ｒ等のディスク５には、音楽ＣＤの内容がそのまま記録されている場合もある。
【００２３】
図１に戻って、マイクロコンピュータ１は、入力ポート１ａと、ＲＡＭ１ｂと、ＲＯＭ１ｃと、ＣＰＵ１ｄと、出力ポート１ｅと等を含んで構成され、車載用ディスク再生装置全体を制御する。
【００２４】
入力ポート１ａは、キー入力部２から入力信号を取得し、また、ディスク位置検出部３から位置信号を取得して、取得したこれらの信号をＣＰＵ１ｄ等に供給する。
また、入力ポート１ａは、光学ユニット４から送られるディスク情報信号を取得し、取得したディスク情報信号をＲＡＭ１ｂに格納する。
【００２５】
ＲＡＭ（Random Access Memory）１ｂは、入力ポート１ａを介して光学ユニット４から送られたディスク情報信号を所定の領域に一時的に記憶する。なお、記憶したディスク情報信号にＭＰ３形式の楽曲データが含まれる場合には、ＣＰＵ１ｄによりデコードされる。
【００２６】
また、ＲＡＭ１ｂは、図３に示すような楽曲テーブル１１及び、再生管理テーブル１２を記憶する。
図３（ａ）に示す楽曲テーブル１１は、ディスク５に記録された楽曲データを収容するフォルダ、つまり、階層構造の楽曲データの管理単位となるフォルダの内、再生対象となり得る楽曲データを管理するためのテーブルである。
具体的に楽曲テーブル１１には、再生対象となり得る複数の楽曲データを識別するためのファイル名及び、ファイル番号が記憶される。なお、楽曲テーブル１１に記憶されるファイル名は、現在の基準となるフォルダ（カレントフォルダ）内に属する複数のファイル名である。
【００２７】
一方、図３（ｂ）に示す再生管理テーブル１２は、楽曲テーブル１１に対応して、再生対象となるファイル名を管理するためのテーブルである。
具体的に再生管理テーブル１２には、現在の基準となるフォルダを特定するカレントフォルダ名と、カレントフォルダ内の再生対象となる１つのファイル（楽曲データ）を特定する再生ファイル番号と、カレントフォルダ内に属するファイルの総数を示す総ファイル数とを記憶する。
【００２８】
図１に戻って、ＲＯＭ（Read Only Memory）１ｃは、ＣＰＵ１ｄが実行するための後述する初期処理及び再生処理のプログラム等を予め記憶する。
【００２９】
ＣＰＵ（Central Processing Unit）１ｄは、ＲＯＭ１ｃに記憶されたプログラムに従って、後述する初期処理及び再生処理を実行する。すなわち、ＣＰＵ１ｄは、ディスク５の種別情報等を取得する初期処理及び、ディスク５に記録された楽曲データの再生を行う再生処理を実行する。
【００３０】
出力ポート１ｅは、ＣＰＵ１ｄの制御に従って、光学ユニット４を制御するための光学系制御信号を光学ユニット４に供給する。
また、出力ポート１ｅは、ＣＰＵ１ｄによりＲＡＭ１ｂに一時的に記憶したＭＰ３形式の楽曲データ（ディスク情報信号）がデコードされると、デコード後の楽曲データを図示せぬＤＡＣ（デジタル／アナログコンバータ）等を介して楽曲（音声）として出力する。
【００３１】
キー入力部２は、所定のボタンスイッチやロータリスイッチ等からなり、利用者の操作に従った指示情報等を入力する。
例えば、キー入力部２は、図４（ａ）に示すような右キー２１、左キー２２、上キー２３及び下キー２４と、図４（ｂ）に示すような決定キー２５とを備える。そして、キー入力部２は、これらのキーの押下に応じた指示情報を入力し、入力した指示情報をＣＰＵ１ｄに供給する。
【００３２】
具体的に説明すると、図４（ａ）に示す右キー２１及び左キー２２は、利用者に操作され、楽曲テーブル１１内における再生対象となる楽曲データ（ファイル）を、現在の楽曲データより１つ後ろ又は、１つ前に変化させる指示情報を生成し、キー入力部２を介してマイクロコンピュータ１（ＣＰＵ１ｄ）に供給する。
例えば、右キー２１が押下されると、キー入力部２は、楽曲テーブル１１内の再生対象となるファイルを、現在のファイルから１つ後ろのファイルに変化させる指示情報を取得して、ＣＰＵ１ｄに供給する。この際、ＣＰＵ１ｄは、再生管理テーブル１２の再生ファイル番号に「１」を加算することで、楽曲テーブル１１中の表示対象となるファイルを、１つ後ろに変化させる。なお、ＣＰＵ１ｄは、加算後の再生ファイル番号が総ファイル数を超える場合、再生ファイル番号に初期値の「００１」をセットする。
【００３３】
一方、図４（ａ）に示す上キー２３及び下キー２４は、再生管理テーブル１２にて管理されるカレントフォルダ（カレントフォルダ名）を、現在のフォルダから１つ後ろ又は、１つ前に変化させる指示情報を生成し、キー入力部２を介してＣＰＵ１ｄに供給する。
例えば、下キー２４が押下されると、キー入力部２は、再生管理テーブル１２のカレントフォルダ（カレントフォルダ名）の１つ前のフォルダに変化させる指示情報を取得し、ＣＰＵ１ｄに供給する。この際、ＣＰＵ１ｄは、ディスク５のＰＶＤから、カレントフォルダの１つ前のフォルダを特定し、特定したフォルダのフォルダ名を再生管理テーブル１２のカレントフォルダ名にセットする。このとき、ＣＰＵ１ｄは、再生管理テーブル１２の総ファイル数等も更新する。また、ＣＰＵ１ｄは、変更後のカレントフォルダ内に属する各ファイルを検索し、検索したファイルのファイル名を楽曲テーブル１１にセットする。
【００３４】
また、図４（ｂ）に示す決定キー２５は、利用者に操作され、ファイル（楽曲データ）の再生を指示する情報を生成し、キー入力部２を介してＣＰＵ１ｄに供給する。
【００３５】
ディスク位置検出部３は、装填されたディスク５が再生可能な所定位置に移動した際に、位置信号を生成し、生成した位置信号を入力ポート１ａを介してＣＰＵ１ｄに供給する。
【００３６】
光学ユニット４は、スピンドルサーボ回路、光ピックアップ、及び、トラッキングスレッドサーボ回路等を含んで構成される。光学ユニット４は、マイクロコンピュータ１に制御され、ディスク５に記録された楽曲データ等を読み出す。
具体的に光学ユニット４は、マイクロコンピュータ１から供給される光学系制御信号に従って、ディスク５に記録された楽曲データ等をディスク信号として取得する。
また、光学ユニット４は、ディスク５が音楽ＣＤ等の書き込み不能なディスクであるか、又は、ＣＤ−Ｒ等の書き込み可能なディスクであるかを示すディスク判別信号を取得する。
【００３７】
以下、この発明の実施の形態にかかる車載用ディスク再生装置の動作について、図５及び図６を参照して説明する。
図５は、ディスク５に記録されている楽曲データの種別等を取得する初期処理を説明するためのフローチャートである。また、図６は、再生対象となるファイル（フォルダ）を選択し、選択した楽曲データの再生を行う再生処理を説明するためのフローチャートである。
まず、図５に示す初期処理について説明する。図５に示す初期処理は、電源投入後に、新たなディスク５が装填されたことを示す位置信号がディスク位置検出部３からＣＰＵ１ｄに供給された後に、開始される。
【００３８】
まず、ＣＰＵ１ｄは、ＲＡＭ１ｂに記憶している種別情報をクリアする（ステップＳ１０）。すなわち、ＣＰＵ１ｄは、再生対象となるディスク５に記録されている楽曲データの種別等を記憶する種別情報をクリアする。
【００３９】
ＣＰＵ１ｄは、ディスク種別を検出する（ステップＳ１１）。すなわち、ＣＰＵ１ｄは、光学ユニット４を介して取得したディスク判別信号に従って、ディスク種別を検出する。具体的にＣＰＵ１ｄは、ディスク５が市販の音楽ＣＤからなる書き込み不能なディスクであるか、又は、ＣＤ−Ｒ及びＣＤ−ＲＷからなる書き込み可能なディスクであるかを検出する。
【００４０】
ＣＰＵ１ｄは、検出したディスク種別がＣＤ−Ｒ又はＣＤ−ＲＷであるか否かを判別する（ステップＳ１２）。すなわち、ＣＰＵ１ｄは、検出結果に従って、ディスク５が書き込み可能なＣＤ−Ｒ等のディスクであるか否かを判別する。
【００４１】
ＣＰＵ１ｄは、ＣＤ−Ｒ等でない（書き込み不能なディスクである）と判別した場合、後述するステップＳ１４に処理を進める。一方、ＣＰＵ１ｄは、ＣＤ−Ｒ等である（書き込み可能なディスクである）と判別した場合、ＰＶＤが記録されているか否かを判別する（ステップＳ１３）。すなわち、ＣＰＵ１ｄは、ディスク５の所定位置に、ファイル構造を規定する情報（階層情報）が記録されているか否かを判別する。
【００４２】
ＣＰＵ１ｄは、ＰＶＤがないと判別した場合、及び、上述のステップＳ１２にてディスク種別がＣＤ−Ｒ等でないと判別した場合、ディスク５がＣＤ−ＤＡであるか否かを判別する（ステップＳ１４）。すなわち、ＣＰＵ１ｄは、リードイン領域のＴＯＣに含まれる情報に従って、ディスク５に記録された楽曲データがＣＤ−ＤＡ（音楽ＣＤ）であるか否かを判別する。
【００４３】
ＣＰＵ１ｄは、ＣＤ−ＤＡであると判別した場合、種別情報に音楽ＣＤを示す区分をセットする（ステップＳ１５）。すなわち、ＣＰＵ１ｄは、ディスク５に記録された楽曲データの種別が、音楽ＣＤであることを示す区分を種別情報にセットし、ＲＡＭ１ｂに記憶する。
一方、ＣＤ−ＤＡでないと判別した場合、ＣＰＵ１ｄは、そのまま初期処理を終了する。
【００４４】
また、ステップＳ１３にて、ＰＶＤが存在すると判別した場合、ＣＰＵ１ｄは、ＭＰ３形式の楽曲データ（ファイル）が記録されているか否かを判別する（ステップＳ１６）。すなわち、ＣＰＵ１ｄは、ＰＶＤ等に従って、ディスク５のデータ領域中に拡張子が「ＭＰ３」のファイル（楽曲データ）が記録されているか否かを判別する。
ＣＰＵ１ｄは、ＭＰ３形式のファイルが存在しないと判別した場合、そのまま初期処理を終了する。
【００４５】
一方、ＭＰ３形式のファイルが存在すると判別した場合、ＣＰＵ１ｄは、種別情報にＭＰ３をセットする（ステップＳ１７）。すなわち、ＣＰＵ１ｄは、ディスク５に記録された楽曲データの種別が、ＭＰ３形式であることを示す区分を種別情報にセットし、ＲＡＭ１ｂに記憶する。
【００４６】
ＣＰＵ１ｄは、ディスク５のＰＶＤを読み出し、先頭フォルダ内のファイルを検索する（ステップＳ１８）。すなわち、ＣＰＵ１ｄは、先頭フォルダ内に配置された各ファイルを検索する。
【００４７】
ＣＰＵ１ｄは、検索結果に従って、楽曲テーブル１１及び再生管理テーブル１２を生成する（ステップＳ１９）。すなわち、ＣＰＵ１ｄは、先頭フォルダ内に配置された各ファイルのファイル名等を楽曲テーブル１１にセットし、また、カレントフォルダ名等を再生管理テーブル１２にセットして、ＲＡＭ１ｂに記憶する。
そして、ＣＰＵ１ｄは、初期処理を終了する。上述の初期処理により、ディスク５に記録された楽曲データの種別を示す種別情報がＲＡＭ１ｂに記憶され、また、楽曲データがＭＰ３形式である場合に、楽曲テーブル１１等が生成されてＲＡＭ１ｂに記憶される。
【００４８】
次に、図６に示す再生処理について説明する。図６に示す再生処理は、上述の初期処理の終了後に、開始される。
【００４９】
まず、ＣＰＵ１ｄは、ＲＡＭ１ｂに記憶された種別情報がＭＰ３を示す区分であるか否かを判別する（ステップＳ２１）。すなわち、ＣＰＵ１ｄは、再生対象のディスク５に記録された楽曲データが、ＭＰ３形式であるか否かを判別する。
【００５０】
ＣＰＵ１ｄは、種別情報がＭＰ３でない（音楽ＣＤである）と判別した場合、右キー２１又は、左キー２２が押下されたか否かを判別する（ステップＳ２２）。すなわち、再生対象の楽曲データ（トラック）の前後の変更を指示する右キー２１等が押下されたか否かを判別する。
ＣＰＵ１ｄは、右キー２１等が押下されていないと判別した場合、後述するステップＳ２４に処理を進める。
【００５１】
一方、右キー２１等が押下されたと判別した場合、ＣＰＵ１ｄは、再生対象のトラックを変更する（ステップＳ２３）。すなわち、押下された右キー２１等に従って、再生対象の楽曲データ（トラック）を１つ後ろ、又は、１つ前に変更する。
【００５２】
ＣＰＵ１ｄは、楽曲データを再生する（ステップＳ２４）。すなわち、ＣＰＵ１ｄは、右キー２１等により選択された楽曲データ（トラック）を再生する。
【００５３】
また、ステップＳ２１にて、種別情報がＭＰ３であると判別した場合、ＣＰＵ１ｄは、右キー２１又は、左キー２２が押下されたか否かを判別する（ステップＳ２５）。すなわち、ＣＰＵ１ｄは、楽曲テーブル１１内における再生対象となるファイル（楽曲データ）を、現在のファイルより１つ後ろ又は、１つ前に変化させる指示情報を、キー入力部２を介して取得したか否かを判別する。
ＣＰＵ１ｄは、右キー２１等が押下されていないと判別した場合、後述するステップＳ２７に処理を進める。
【００５４】
一方、ＣＰＵ１ｄは、右キー２１又は、左キー２２が押下されたと判別した場合、押下された右キー２１等に従って、再生管理テーブル１２の再生ファイル番号を更新する（ステップＳ２６）。すなわち、ＣＰＵ１ｄは、再生管理テーブル１２の再生フォルダ番号に「１」を加算（右キー２１押下時）し、又は、再生フォルダ番号から「１」を減算（左キー２２押下時）することで、楽曲テーブル１１中の再生対象となるファイルを、前後いずれかに変化させる。
【００５５】
なお、再生管理テーブル１２の再生フォルダ番号が「００１」の状態で、左キー２２が押下されたと判別した場合に、ＣＰＵ１ｄは、再生フォルダ番号に総ファイル数をセットする。
また、再生管理テーブル１２の再生フォルダ番号が最後尾のファイル番号（総ファイル数と同じ値）の状態で、右キー２１が押下されたと判別した場合に、ＣＰＵ１ｄは、再生ファイル番号に先頭のファイル番号（「００１」）をセットする。
【００５６】
そして、ＣＰＵ１ｄは、上キー２３又は、下キー２４が押下されたか否かを判別する（ステップＳ２７）。すなわち、ＣＰＵ１ｄは、再生対象となるファイルが配置されたフォルダを、現在のフォルダ（カレントフォルダ）の１つ後ろ又は、１つ前に変化させる指示情報を、キー入力部２を介して取得したか否かを判別する。
【００５７】
ＣＰＵ１ｄは、上キー２３等が押下されたと判別した場合、ＰＶＤを読み出し、基準となるカレントフォルダを、現在のフォルダから１つ後ろ又は、１つ前のフォルダに変化させ、変更後のカレントフォルダに属する各ファイルを検索する（ステップＳ２８）。
すなわち、ＣＰＵ１ｄは、再生管理テーブル１２のカレントフォルダ名を１つ後ろのフォルダ名（上キー２３押下時）又は、１つ前のフォルダ名（下キー２４押下時）に変化させる。そして、ＣＰＵ１ｄは、変更後のカレントフォルダ内に属する各ファイルを検索する。
【００５８】
そして、ＣＰＵ１ｄは、検索結果に従って、楽曲テーブル１１を更新する（ステップＳ２９）。すなわち、ＣＰＵ１ｄは、ステップＳ２８にて検索された新たなカレントフォルダ内に属する各ファイルのファイル名を楽曲テーブル１１にセットする。
【００５９】
ＣＰＵ１ｄは、再生管理テーブル１２の再生ファイル番号を更新する（ステップＳ３０）。また、ＣＰＵ１ｄは、再生管理テーブル１２の総ファイル数も更新する。
【００６０】
ＣＰＵ１ｄは、楽曲データを再生する（ステップＳ３１）。すなわち、ＣＰＵ１ｄは、再生管理テーブル１２の再生ファイル番号にて差し示される楽曲テーブル１１内のファイル（楽曲データ）を再生する。
【００６１】
このように、音楽ＣＤ等（ＣＤ−ＤＡ）が車載用ディスク再生装置に装填された場合に、右キー２１及び左キー２２の押下に従って、再生対象の楽曲データ（トラック）を前後に変化させて再生する。また、ＭＰ３形式の楽曲データが記録されたＣＤ−Ｒ等が装填された場合に、右キー２１及び左キー２２の押下に従って、再生対象の楽曲データ（ファイル）を前後に変化させるだけでなく、上キー２３及び下キー２４の押下に従って、フォルダを前後に変化させて、楽曲データを再生する。
【００６２】
すなわち、図７に示すように、ＭＰ３形式の楽曲データがフォルダ単位に階層化されて記録されているＣＤ−Ｒ等から所望の楽曲データを再生する際に、上キー２３及び下キー２４を使用して、多連装ディスク再生装置のディスクの変更と同じ操作にて、フォルダの変更を指示することができる。
【００６３】
このため、楽曲データが属するフォルダをあたかもディスクのように取り扱うことで、一般の多連装ディスク再生装置等の操作に慣れている利用者は、フォルダの変更を違和感なく指示でき、ＭＰ３形式の楽曲データから所望の楽曲データの再生を指示する操作を効率よく行うことができる。
この結果、楽曲データがフォルダ単位に階層化されて記録されている記録媒体から、容易な操作により所望の楽曲データを再生することができる。
【００６４】
上記の実施の形態では、１枚のディスク５に記録されたＭＰ３形式の楽曲データから所望の楽曲データを効率よく再生したが、複数のディスク５を格納するディスクチェンジャを備え、複数のディスク５から所望の楽曲データを効率よく再生してもよい。以下、ディスクチェンジャを備えた車載用ディスク再生装置について簡単に説明する。
【００６５】
（他の実施形態）
図８は、本発明の他の実施の形態に適用される車載用ディスク再生装置の一例を示すブロック図である。この車載用ディスク再生装置は、ディスクチャンジャ６を更に備え、複数のディスク５を切り替えながら楽曲データを再生可能な機器である。なお、マイクロコンピュータ１、キー入力部２、ディスク位置検出部３、及び、光学ユニット４の構成は、図１に示す車載用ディスク再生装置と同様である。
【００６６】
ディスクチャンジャ６は、例えば、７枚のディスク５を格納することのできるディスク収納部を備える。そして、ディスクチャンジャ６は、マイクロコンピュータ１から供給されるディスクチェンジャ制御信号に従って、対応するディスク５を所定のディスク再生位置まで搬送する。
【００６７】
以下、図８に示す車載用ディスク再生装置の動作について、図９を参照して簡単に説明する。
図９に示すように、音楽ＣＤ等（ＣＤ−ＤＡ）がディスクチェンジャ６に装填されている場合、一般の多連装ディスク再生装置と同様に、右キー２１及び左キー２２の押下に従って、再生対象の楽曲データ（トラック）を前後に変化させて再生する。また、上キー２３及び下キー２４の押下に従って、ディスクを前後に変化（１つ後ろ、又は、１つ前のディスクに変更）させ、楽曲データ（トラック）を再生する。
【００６８】
一方、ＭＰ３形式の楽曲データが記録されたＣＤ−Ｒ等がディスクチェンジャ６に装填されている場合、右キー２１及び左キー２２の押下に従って、再生対象の楽曲データ（ファイル）を前後に変化させるだけでなく、上キー２３及び下キー２４の押下に従って、フォルダの変更及びディスクの変更を行う。
具体的には、上キー２３の押下が所定の時間内（短押し）である場合、１つ後ろのディスクに変化させる。また、上キー２３の押下が所定の時間超（長押し）である場合、カレントフォルダを１つ後ろのフォルダに変化させる。
そして、下キー２４の押下が所定の時間内（短押し）である場合、１つ前のディスクに変化させる。また、下キー２４の押下が所定の時間超（長押し）である場合、カレントフォルダを１つ前のフォルダに変化させる。
【００６９】
このため、楽曲データが属するフォルダをあたかもディスクのように取り扱い、また、実際のディスクも変更できることから、一般の多連装ディスク再生装置等の操作に慣れている利用者は、フォルダの変更及び、ディスクの変更を違和感なく指示でき、ＭＰ３形式の楽曲データから所望の楽曲データの再生を指示する操作を効率よく行うことができる。
この結果、楽曲データがフォルダ単位に階層化されて記録されている記録媒体から、容易な操作により所望の楽曲データを再生することができる。
【００７０】
上記の実施の形態では、ＣＤ−Ｒ等からなるディスク５を再生する車載用ディスク再生装置について説明したが、再生対象の媒体はＣＤ等に限られず、他にＭＤ（ミニディスク）、ＤＶＤ（Digital Versatile Disk）等を再生する車載用ディスク再生装置に適用可能である。また、スマートメディア（商標）、メモリスティック（商標）、ＭＭＣ（Multi Media Card）等の媒体を再生可能な再生装置であってもよい。
【００７１】
以上説明したように、本発明によれば、楽曲データがフォルダ単位に階層化されて記録されている媒体から、容易な操作により所望の楽曲データを再生することができる。
【図面の簡単な説明】
【００７２】
【図１】本発明の実施の形態に係る車載用ディスク再生装置の構成の一例を示すブロック図である。
【図２】（ａ）が音楽ＣＤに適用されるデータフォーマットの一例を示す模式図であり、（ｂ）がＣＤ−Ｒ等に適用されるデータフォーマットの一例を示す模式図であり、（ｃ）が（ｂ）のフォーマットにてディスクに記録されている楽曲データのファイル構造の一例を示す模式図である。
【図３】（ａ）が楽曲テーブルの一例を示す模式図であり、（ｂ）が再生管理テーブルの一例を示す模式図である。
【図４】（ａ）、（ｂ）共に、キー入力部に所定の信号を供給するキーの一例を示す模式図である。
【図５】本発明の実施の形態に係る初期処理を説明するためのフローチャートである。
【図６】本発明の実施の形態に係る再生処理を説明するためのフローチャートである。
【図７】操作キーの押下に対応して、再生対象となる楽曲データの変更について説明するための模式図である。
【図８】本発明の実施の他の形態に係る車載用ディスク再生装置の構成の一例を示すブロック図である。
【図９】操作キーの押下に対応して、再生対象となる楽曲データの変更について説明するための模式図である。
【図１０】従来の操作キーの一例を説明するための模式図である。
【図１１】ＣＤ−Ｒ等に記録される階層化された楽曲データの一例を示す模式図である。
【符号の説明】
【００７３】
１    マイクロコンピュータ
１ａ  入力ポート
１ｂ  ＲＡＭ
１ｃ  ＲＯＭ
１ｄ  ＣＰＵ
１ｅ  出力ポート
２    キー入力部
３    ディスク位置検出部
４    光学ユニット
５    ディスク
６    ディスクチェンジャ
【図１】
2004296083.tif 000003
【図２】
2004296083.tif 000004
【図３】
2004296083.tif 000005
【図４】
2004296083.tif 000006
【図５】
2004296083.tif 000007
【図６】
2004296083.tif 000008
【図７】
2004296083.tif 000009
【図８】
2004296083.tif 000010
【図９】
2004296083.tif 000011
【図１０】
2004296083.tif 000012
【図１１】
2004296083.tif 000013